(57)【要約】      （修正有）【課題】挿入した手が見え、使用者の不安を解消するハンドドライヤーを提供する。【解決手段】ハンドドライヤーは、横式円筒型本体１と横式円筒型本体１を支える筐体２で構成し、横式円筒型本体１の上部側傾斜部に設けた開口周囲部が凸形状４の手挿入口部３と、横式円筒型本体１内に手挿入口部３と一体の手乾燥室を設け、手乾燥室と並んで気流発生装置を設け、手挿入口部３の入口側に位置し、手乾燥室内に噴出する相対向する両面からのノズルと気流発生装置とを連結ダクト（排気ダクト）により最短・シンプル形状で接続した。【選択図】図１
2015139690.tif 000002
【特許請求の範囲】
【請求項１】
横式筒型本体の上部側傾斜部に設けた開口部周囲が凸形状の手挿入部と筒型本体内に手挿入部と一体の手乾燥室を設け、手乾燥室に並び設けた気流発生装置において、手挿入部の入口側に位置し、手乾燥室内に噴出する相対向する両面からのノズルと気流発生装置とを最短・シンプル形状で接続する連結ダクトにより構成したことを特徴とする筒型本体及び本体を支える筐体とで構成したハンドドライヤー。
【請求項２】
筒型本体の手乾燥室が、筐体に対して回動することを特徴とする請求項１のハンドドライヤー。
【請求項３】
手乾燥室の手挿入部凸形状入口部分が透明材にて形成されていることを特徴とする請求項１のハンドドライヤー。
【請求項４】
手乾燥室の手挿入部凸形状入口部分の透明部材内にＬＥＤ発行装置を設けたことを特徴とする請求項３のハンドドライヤー。
【請求項５】
手乾燥室内に噴射する風量の一部を利用した音発生装置を設けたことを特徴とする請求項１のハンドドライヤー。
【発明の詳細な説明】
【発明の詳細な説明】
【技術分野】
【０００１】  本発明は、洗浄後の濡れた手を衛生的に乾燥させるハンドドライヤーに関するものである。
【背景技術】
【０００２】  昨今、ハンドドライヤーには気流発生装置に高圧式のＤＣブラシレスモーターとターボファンを採用し、箱型で縦長式の製品が多く、上部に手挿入口を備えた乾燥室、乾燥室の下部にはＤＣブラシレスモーターとターボファンを備えた気流発生装置、手乾燥室には手挿入口側に横長で両側より噴射するノズルを設けた構造になっている。【０００３】  この方式の場合、手乾燥室は手挿入口から下部に向かっており、手を乾燥するには、深さは約２２ｃｍ位必要となるため、手を挿入する場合、特に初めての人は、目の見えない部分に手を挿入するため、怖さと恐ろしさにより、不安に思う使用者が多く、使うのを避ける人が多々見える。【０００４】  併せて、特許文献１に記載されている図１、図４から明らかなように、構造上、気流発生装置から噴射ノズルを繋ぐ連結ダクトは、形状が、手挿入部の幅寸法が両手を挿入することを前提にすると概略約２７ｃｍ位あるため、連結ダクトの幅は約２４ｃｍ位必要となり、高さ方向は手乾燥室の深さを考えると約２０ｃｍ以上の大きな連結ダクトを必要とし、両側の噴射ノズルと気流発生装置はこの連結ダクトにより連結する。この連結ダクトの内容積は大きく、気流の内部抵抗をカバーするためには、気流発生装置のＤＣブラシレスモーターやターボファンは高出力の性能が必要となる。同時に、高速回転するため、騒音値は高くなり、騒音に問題ない場所での使用が多くなっている。
【先行技術文献】
【特許文献】
【０００５】
【特許文献１】特開平７−１１６０７６
【発明の概要】
【発明が解決しようとする課題】
【０００６】  特許文献１に記載の発明は本体が箱型で縦長の構造のため、手乾燥室は下方に向いており、手乾燥室の両手挿入部分の横幅は前述の通り約２７ｃｍ位必要となり、前後方向幅は約１０ｃｍ位は必要になるが、この手挿入口の形状では、手乾燥室に挿入した手が、どのような状態になっているか。手をどうして乾燥しているか等を確認することは困難であった。【０００７】  又、構造上、手乾燥室の下部に気流発生装置があり、手乾燥室の上部、手挿入口側に幅広く、同時に、両側から、気流発生装置からの気流を噴射するノズルがあるため、連結ダクトは幅広く、縦長の大型連結ダクト構造にせざるをえなくなる。よって、気流を送るためには、内部抵抗が大きくなるため、気流発生装置の小型化、効率の良い気流発生装置採用は困難になる。【０００８】  本発明は上記に鑑みてなされたものであって、発想を変え、従来の箱型縦長式のハンドドライヤーから横式円筒型本体の採用により、コンパクト化し、上記課題を解決するために多々新しい知恵とアイディア、技術を織り込み確立したハンドドライヤーを提供することを目的とする。
【課題を解決するための手段】
【０００９】  上述した課題を解決し、目的を達成するために、本発明は、横式円筒型本体の上部側傾斜部に設けた開口部周囲が凸形状の手挿入部と、手挿入部と一体の手乾燥室に並び設けた気流発生装置において、手挿入部の入口側に位置し、手乾燥室内に噴出する相対向する両面からのノズルと気流発生装置とが最短・シンプル形状で接続する連結ダクトにより構成したことを特徴とする円筒型本体と本体を支える筐体で構成したハンドドライヤーである。【００１０】  さらに、手挿入時に、手乾燥室内が見えやすいように、円筒型本体内に設けた手乾燥室が、筐体に対して、乾燥室内が見えやすく、使いやすい傾斜角度に変更できる回動構造になっていることを特徴とする。【００１１】  さらに、手乾燥室内が見えやすいように、手挿入部の凸形状入口部分が透明材にて形成し、手乾燥室内の内部が一層良く見みえるようにしたことを特徴とする。【００１２】  さらに、手乾燥室内を明るくするために、照明を兼ねて手挿入口の場所も解りやすくするために、手挿入口部分の透明部材内にＬＥＤ発行装置を設けたことを特徴とする。【００１３】  さらに、連結ダクトの小型化、短絡化により、気流発生装置の低出力化、低騒音化を図ることができ、また、ハンドドライヤーを楽しく使用してもらえるように気流の一部を利用した音発生装置を設けたことを特徴とする。
【発明の効果】
【００１４】  本発明によれば、横式円筒型本体採用により手乾燥室の傾斜角度が最適角度に見直し、且つ、手挿入部開口周囲が凸形状で透明形成材の採用により手乾燥室内が良く見え、さらに、ＬＥＤ発光装置を透明形成部材内に設けることにより内部がさらに良く見えると共に、手挿入口をわかりやすくすることができる。よって、手乾燥室内がよく見えることにより、使用者の不安感を解消し、安心して使用できるハンドドライヤーを提供することが可能になる。併せて、気流利用による音発生装置を設けることにより、使用者が楽しく使用できるハンドドライヤーの提供も可能にする。
【図面の簡単な説明】
【００１５】
【図１】図１は、本発明に係るハンドドライヤーの実施形態の斜視図である。
【図２】図２は、本発明に係るハンドドライヤーの実施形態の構成を示す正面図である。
【図３】図３は、本発明に係るハンドドライヤーの実施形態の構成を示す左右側面図である。
【図４】図４は、本発明に係るハンドドライヤーの実施形態の構成を示す側面断面図である。
【図５】図５は、本発明に係るハンドドライヤーの実施形態の構成を示す正面断面図である。
【図６】図６は、本発明の本体を回動した場合、図４からの回動範囲を示す側面断面図である。
【図７】図７は、本発明の回路図である。
【発明を実施するための形態】
【００１６】    以下に本発明に係るハンドドライヤーの実施形態を図面に基づいて詳細に説明する。尚、この実施形態により、この発明が限定されるものではない。
【００１７】  図１は本発明に係るハンドドライヤーの実施形態を全体から見た斜視図である。図２は実施形態に係るハンドドライヤーの正面図である。図３は左右側面図である。図４は側面断面図である。横式円筒型本体（今後は本体と称す）１はハンドドライヤーの外郭を成している。本体１は本体１を支える筐体２により受け支えられる構成になっている。本体１の上部傾斜部には上部開口部（手挿入口）３が設けられている。上部開口部３の外周は本体１に対して凸形状４を形成している。この上部開口部３から使用者は手を自在に挿抜でき、側面断面図４に示すように下部側は略Ｕ字状に傾斜し、手乾燥室５が設けられている。
【００１８】  又、図５の本体正面断面図に示すように、乾燥処理空間としての手乾燥室５の側面側の本体１内には羽根とモーター（ブラシレスか、整流子モーター）を備えた気流発生装置６が設けられている。又、手乾燥室５の底部には手乾燥室５内の水を排水する排水口７が設けられている。筐体２内には、本体１の手乾燥室５の下方部に位置し、手乾燥室５の排水口７からの水を受けるタンク８が設けられている。筐体に対しては着脱自在に取り付けられている。
【００１９】  手乾燥室５は、手挿入口３部の凸形状部４と略Ｕ字状の乾燥室から成り立っている。手乾燥室５の内壁は撥水性コーティングや抗菌剤を含有した樹脂で形成されている。内壁表面への汚れの付着を低減させると共に菌の繁殖を低減させることができる。正面側壁面５ａの上部開口部３の近傍及び背面側壁面５ｂの上部開口部３の近傍にはそれぞれ正面ノズル９ａと背面ノズル９ｂとが左右方向に直線状に設けられており、高速空気流を手乾燥室５の奥側に向かって傾斜して噴射し、手乾燥室５に挿入された手の甲側と手の内側に同時に高速空気流を当て、手に付着している水滴を吹き飛ばして排除できる。
【００２０】  さらに、手挿入口３の外周凸部形状４は透明材で形成されている。手乾燥室５内に使用者が手を挿入し、乾燥しようとした時、内部が見やすく、手の動きが解り、使用者の不安を解消するための手段として採用している。
【００２１】  また、本体１には使用者がより使いやすく、手乾燥室５の内部が見やすい位置にするため、図６に示すように、図４に示す位置に対して、上部側、又は下部側に任意の位置に回動する手段（詳細な構造は割愛する）が設けられ、使用者の背高に合わせて使用できる技術を組み入れている。この手段により、使用者が手乾燥室に手を挿入する時、手の挿入がしやすく、より安全に、より安心して手を見ながら手の乾燥ができるため、不安解消のためには最良な手段、技術である。さらに、回動するために、本体１を、横式円筒型方式に見直したことにより、本体１が回動しやすく、特許文献１の縦型箱式に比べ、使用者の手乾燥時の不安解消へ、大きな改善要因となっている。
【００２２】  さらに、使用者が手乾燥室５内の手の動きや手の状態を見やすくするために、手挿入口３部の透明材で形成された凸部形状４内には、ＬＥＤ照明１９を設けている。手乾燥室５を明るくすると共に、手挿入口３の場所を解りやすくするため、棒状のアクリル材２０でできた部材（２ｍｍ＊８ｍｍとか、５ｍｍ＊５ｍｍ角の断面状の棒材）を手挿入口３の外周凸部形状４内の幅寸法にし、その片端面にＬＥＤ２１を１個接続した構造によりＬＥＤ照明１９が成り立っている。棒状アクリル材２０には、例えば、同じ形状のエッジをほぼ等間隔に設ければ、ＬＥＤ２１を点灯した時、アクリル材２０のエッジ部分がＬＥＤ２１と同色の光に輝き、手乾燥室５内を明るくすることができる。これにより、手乾燥室５内はより明るくなり、手の状態をはっきり見ることができ、使用者に安心と安全を提供できる手段を設けることができる。一般には手を手乾燥室５内に挿入した時点灯し、手を抜いた時に消灯するのが普通であるが、方法を変えて、通常はブルーの色で点灯しておき、手乾燥室５に使用者が手を挿入した時、センサー（後述記載）の検知により、他の色に変わる等工夫すれば、使用者の興味を引くと共に手乾燥室５内は明るくできる等使用者への不安解消に大きく寄与するものとなる。
【００２３】  また、手乾燥室５の背面側壁面５ｂの背面側ノズル９ｂよりも下側には手の有無を検知する検知センサー（発光側）１０ｂが設けられ、対向する正面側壁面５ａの下部（奥）位置に手検知センサー（受光側）１０ａが対になって透過式センサーを構成しており、上側手検知センサー（発光側）１０ｂで発光された赤外線が、手が手乾燥室５内に挿入され、手で遮られることで、手乾燥室５内に手が挿入されたことを検知する。
【００２４】  また、本体１の内部の気流発生装置６関連について説明すると、気流発生装置６の排気側は本体内部に設けられた排気チャンバ１１内に位置している。排気チャンバ１１には排気チャンバ１１内の空気を排出する排気口１２が設けられている。排気口１２には正面側と背面側に分かれて正面側排気ダクト１３ａ及び背面側排気ダクト１３ｂが設けられている。正面側排気ダクト１３ａは正面側ノズル９ａに連通し、背面側排気ダクト１３ｂは背面側ノズル９ｂに連通している。又、気流発生装置６の吸気側は吸気ダクトＡ１４の一方の開口に接続されている。吸気ダクトＡ１４の他方は、筐体２内に設置されている制御基板１５の放熱板部（記載せず）を冷却できるように設けた吸気ダクトＢ１６と接続する。吸気ダクトＢ１６の他方は筐体２の底面下方に開口した吸気口１７に接続され、吸気口１７の入口部にはエアーフィルター１８が着脱自在に設けられている。
【００２５】  正面側排気ダクト１３ａ、背面側排気ダクト１３ｂは前述したように、特許文献１では概略横幅は約２４ｃｍ、縦深さ約２０ｃｍ以上と大きな形状と容積を備えていることが推察できるが、本発明では手乾燥室５に並べて気流発生装置６が設けられているため、排気ダクト１３ａ、１３ｂはノズル９ａ、９ｂに対して近接しており、小型でシンプルな形状で対応可能となる。概略、横幅は約２４ｃｍ程であるが、高さ寸法は約７ｃｍ位でよく、特許文献１に比べ、形状は約１／３になり、形状はシンプルのため、気流発生装置６のモーター性能はダクト１３ａ，１３ｂの管路抵抗が著しく少なくなり、圧力損失が少なくなり、特許文献１に比べ、同じ噴射力を得る場合は、よりパワーの低いモーターの採用が可能となる。消費電力も少なく、節電でき、エコ商品となる。
【００２６】  このような構成にすることにより、本体１を円筒型にしたことの意味と効果は大きく、併せて、手乾燥室５の位置をより使いやすい位置に回動が可能になり、透明材で形成した手挿入口３の凸部外周部４は透明のため手乾燥室５の中がよく見えると共に手の挿入口３の凸部外周部４内にはＬＥＤ照明１９を備えることも可能にした。この明るさで手乾燥室５の中は、よりはっきり手の動作、動きを確認できるため、使用者には不安解消と安心、安全を提供できるものとなる。
【００２７】  また、一般にハンドドライヤーは使用時の運転音が高く、使用時の音の大きさが気になる。できる限り使用時の運転音を和らげるために、運転時の風の力を利用し、楽しく使用してもらえる工夫を設けた。例えば、ハーモニカ２２を利用して、発生する風の力を一部利用し、細やかであるが、風の運転音とは異なる音色を発生させる。図６は気流発生装置６により発生した風の一部を利用できるように排気ダクト１３ｂに設けたハーモニカ２２である。これにより、風切音ばかりでなく、他の音色も発生させることができ、楽しくハンドドライヤーを使用することが可能になる。
【００２８】  次に、動作について、説明する。図７は本発明のハンドドライヤーの回路図である。前述の全体構造と合わせて説明すると、使用者がハンドドライヤーの正面側に立ち、腕をやや下方前方に伸ばした状態で手挿入口３から手乾燥室５の中へそれぞれの濡れた手を入れると両手がほぼ手乾燥室５内に入った状態になる。使用者の背高の高い人、低い人によっては両手を、より入れやすくするために軽く手乾燥室５を上下に押せば、任意の位置まで回動する。また、手乾燥室５内に使用者の手が手首付近まで挿入されると、手乾燥室内５に設けた上部検知センサー（発光側）１０ｂと下部検知センサー（受光側）１０ａにより手を検知する。使用者の手がセンサーで検知されると気流発生装置６が作動し、エアーフィルター１８において、埃を除去しながら吸気口１７から外気を吸気ダクトＢ１６に吸い込む。吸気ダクトＢ１６に吸い込まれた空気は制御基板１５を冷却しながら吸気ダクトＡ１４に入り気流発生装置６の吸い込み側に到達し、気流発生装置６で高圧空気とされる。
【００２９】  気流発生装置６で高圧化された高圧空気は気流発生装置６の排気側から排気チャンバ１１内に排気され、排気口１２から正面側排気ダクト１３ａ及び背面側排気ダクト１３ｂを通り、それぞれ正面側ノズル９ａ及び背面側ノズル９ｂで高圧空気から高速空気流に変換されて手乾燥室５内へ噴出される。手挿入口３の近傍に左右方向に直線状に正面側ノズル９ａ及び背面側ノズル９ｂが設けられているため、手挿入口３近傍でエアーカーテン状に高速空気流が噴出され、手乾燥室５内に挿入されている手の甲や手の内側の両面に当たり、手の表面に付着している水を水滴として吹き飛ばす。そして、挿入されている手を手挿入口３から手乾燥室５の外に徐々に引き抜くことで、エアーカーテン状の高速空気流が吹き付けられた箇所は挿入されている手の手首付近から指先に向かって移動し、手全体に付着していた水滴が除去され、手を乾燥させることができる。
【００３０】  同時に、手乾燥室５から手を引き抜くことにより、遮断していたセンサーは透過状態に戻り、気流発生装置６を停止させる。手乾燥室５に挿入された濡れた手から吹き飛ばされた水滴は、手乾燥室５内に飛ばされ、手乾燥室５内の壁面に当たって、流下し、手乾燥室５の底部に設けられた排水口７から筐体２内のタンク８に回収される。タンク８は、筐体に対して着脱自在に取り付けられている。
【００３１】  また、上記センサーは手挿入口３部の凸形状４部内に設けられているＬＥＤ照明１９も同時に、点灯したり、消灯したりする制御回路を構成している。これにより、手乾燥室５内に使用者が手を挿入すると同時にＬＥＤ照明１９が点灯するため、手乾燥室５内は明るくなり、手の動き、動作は手挿入口３の凸形状４部が透明材で形成されているため、内部確認が容易になり、使用者の不安を解消し、安心、安全を提供することが可能になる。
【００３２】  さらに、気流発生装置６が動作すると、背面側排気ダクト１３ｂ内に設けたハーモニカ２２に、一部の風が届き、同時に、気流発生装置６の風切音と共に細やかな音色が流れ、使用者にいやし効果をもたらすものである。気流発生装置６が停止すると、ハーモニカ２２のメロディも停止する。
【００３３】  このように本実施形態に係るハンドドライヤーは、使用者が手乾燥室５内に手を挿入し、自分の手がどうなっているのかとの心配や不安を解消し、自分の目で良く見て実施できる状態の提供ができ、安心、安全を実現できる。
【産業上の利用の可能性】
【００３４】  以上のように、本発明に係るハンドドライヤーはトイレや手洗い場等に設置されるハンドドライヤーとして有用であり、特に、学校や幼稚園等、子供の手洗いの励行のためにも興味を持たせることができ、みんなが、手洗い後の乾燥時に自分の目で手の状態が確認できるため不安を持たずに、安心して使用できる。
【符号の説明】
【００３５】  １  横式円筒型本体
２  横式円塔型本体を支える（受ける）筐体
３  上部開口部（手挿入口）
４  手挿入口外周凸部形状
５  手乾燥室
５ａ  手乾燥室の正面側壁面
５ｂ  手乾燥室の背面側壁面
６  気流発生装置
７  排水口
８  タンク
９ａ  正面ノズル
９ｂ  背面ノズル
１０ａ  手検知センサー（受光側）
１０ｂ  手検知センサー（発光側）
１１  排気チャンバ
１２  排気口
１３ａ  正面側排気ダクト
１３ｂ  背面側排気ダクト
１４  吸気ダクトＡ
１５  制御基板
１６  吸気ダクトＢ
１７  吸気口
１８  エアーフィルター
１９  ＬＥＤ照明
２０  棒状のアクリル材
２１  ＬＥＤ
２２  ハーモニカ
【図１】
2015139690.tif 000003
【図２】
2015139690.tif 000004
【図３】
2015139690.tif 000005
【図４】
2015139690.tif 000006
【図５】
2015139690.tif 000007
【図６】
2015139690.tif 000008
【図７】
2015139690.tif 000009